(57)【要約】【課題】現像器からトナーを強制消費する構成において装置の小型化を図ることが可能な画像形成装置を提供すること。【解決手段】非画像形成時に感光体ドラム１１上に高濃度ベタのトナーパターンＰを形成し、形成されたトナーパターンＰの先端Ｐｓが感光体ドラムとこれに圧接される転写ローラとの間により確保される転写ニップに到達してから（時点Ｔ１）、トナーパターンＰの後端Ｐｅが転写ニップを抜ける（時点Ｔ２）までの間には転写ローラに転写バイアスとしてトナーと同極性のマイナスの直流電圧ＴＢ１を供給し、トナーパターンＰの後端Ｐｅが転写ニップを抜けると（時点Ｔ２以降）、交流電圧ＴＢ２に切り替える制御を行う。【選択図】図３
2012155210.tif 000002
【特許請求の範囲】
【請求項１】
像担持体に形成された静電潜像に現像器のトナーを供給して顕像化し、顕像化されたトナー像を、像担持体とこれに接触する転写部材との間で確保される転写ニップを通過するシートに静電転写して画像形成を行う画像形成装置であって、
転写部材に転写バイアス電圧を出力する電源部と、
画像形成以外の非画像形成時に、シートを通紙させない状態で、像担持体上に特定パターンの静電潜像を形成した後、その特定パターンの静電潜像に現像器のトナーを供給してトナーパターンを形成することにより、現像器内のトナーを強制的に消費するトナー強制消費動作を実行する実行手段と、
トナー強制消費動作において、像担持体上のトナーパターンが転写ニップを通過する間にはトナーと同極性の転写バイアス電圧を出力し、転写ニップを通過しない間には交流の転写バイアス電圧を出力するように電源部を制御する電源制御手段と、
を備えることを特徴とする画像形成装置。
【請求項２】
前記実行手段は、
複数のトナーパターンを、それぞれが前記像担持体の回転方向に第１の幅を有し、当該像担持体の回転方向に第２の幅からなりトナーパターンが形成されない非画像領域を介して隣り合うように形成することを特徴とする請求項１に記載の画像形成装置。
【請求項３】
前記転写部材は、転写ローラであり、
前記第１の幅は、転写ローラの周長以下であり、
前記第２の幅は、転写ローラの周長よりも長いことを特徴とする請求項２に記載の画像形成装置。
【請求項４】
前記第１の幅と第２の幅とが等しいことを特徴とする請求項２に記載の画像形成装置。
【請求項５】
前記転写ローラは、
前記像担持体の回転に伴って前記転写ニップにおいて前記像担持体の回転方向と同方向になるように回転し、
前記実行手段は、
前記転写ローラが１回転するのに要する時間をｔｅ、隣り合う２つのトナーパターンの一方が転写ニップを通過してから他方が転写ニップに到達するまでの間の時間をｔβとしたとき、前記時間ｔβが時間ｔｅの２倍以上になるように、それぞれのトナーパターンの形成を実行し、
前記電源制御手段は、
１周期ｔｚが前記時間ｔβ以下であり、１周期ｔｚにおけるマイナス電圧の出力時間ｔｘとプラス電圧の出力時間ｔｙとがそれぞれ前記時間ｔｅ以上の関係を満たす交流電圧を、前記交流の転写バイアス電圧として、前記時間ｔβの間に出力させることを特徴とする請求項３または４に記載の画像形成装置。
【請求項６】
現像器内に現に存在するトナー量を指標する値を検出する検出手段を備え、
前記実行手段は、
前記検出手段の検出値が第１の閾値Ｄａよりも大きい場合には、第１の幅がＬａになり、前記検出値が第１の閾値Ｄａ以下かつ、第１の閾値Ｄａよりも小さい第２の閾値Ｄｂよりも大きい場合には、第１の幅がＬａよりも大きいＬａ１になるようにトナーパターンを形成することを特徴とする請求項２〜５のいずれか１項に記載の画像形成装置。
【請求項７】
前記実行手段は、
前記検出手段の検出値が第１の閾値Ｄａよりも大きい場合には、第２の幅がＬｂになり、前記検出値が第１の閾値Ｄａ以下かつ第２の閾値Ｄｂよりも大きい場合には、第２の幅がＬｂよりも小さいＬｂ１になるようにトナーパターンを形成することを特徴とする請求項６に記載の画像形成装置。
【請求項８】
前記像担持体上のトナーパターンが転写ニップを通過した後、当該トナーパターンを構成するトナーを当該像担持体から回収する回収手段と、
回収されたトナーを収容し、収容したトナーを現像器に戻すトナーリサイクル手段と、
前記トナーリサイクル手段の動作を制御するトナーリサイクル制御手段と、を備え、
前記現像器には、現像剤としてトナーとキャリアを含む二成分現像剤が収容され、
前記トナー強制消費動作は、
現像器内にキャリアを残してトナーを現像器から排出させる動作であり、
前記トナーリサイクル制御手段は、
トナー強制消費動作の実行中に前記回収手段により回収されたトナーを前記トナーリサイクル手段に一時的に収容して蓄積させ、トナー強制消費動作の終了後、前記現像器内に残っている現像剤の交換がなされたことを示す情報を取得すると、前記トナーリサイクル手段に蓄積されているトナーを現像器に戻させることを特徴とする請求項１〜７のいずれか１項に記載の画像形成装置。
【請求項９】
像担持体の周辺の、現像器から像担持体の回転方向に転写部材までの間の空間に浮遊するトナー粒子をエアと共に吸引して、吸引されたエアを機外に排出する吸引手段を備え、
前記実行手段は、
トナー強制消費動作において、吸引手段によるエアの吸引量が画像形成時における吸引量よりも大きくなるように吸引手段を制御することを特徴とする請求項１〜８のいずれか１項に記載の画像形成装置。
【発明の詳細な説明】
【技術分野】
【０００１】
本発明は、像担持体上の静電潜像を現像してトナー像を形成する画像形成装置に関し、特に現像器内のトナーを強制消費する技術の改良に関する。
【背景技術】
【０００２】
従来の画像形成装置として、特許文献１には、感光体ドラムと、感光体ドラムの表面を帯電させる帯電器と、帯電された感光体ドラム表面を露光走査して静電潜像を書き込む露光装置と、感光体ドラム上の静電潜像にトナーを供給して静電潜像を顕像化する現像器と、感光体ドラムに転写位置で圧接されることにより感光体ドラムとの間で転写ニップを確保し、その転写ニップを通過する記録紙に感光体ドラム上のトナー像を静電転写させる転写ローラと、転写後の感光体ドラム上における残留トナーを回収するクリーナとが配置され、記録紙に転写して出力するための画像を形成する画像形成時以外の非画像形成時に強制トナー消費を実行する構成が開示されている。
【０００３】
この強制トナー消費は、感光体ドラム上に高濃度のベタのトナーパターンを形成し、転写ローラを感光体ドラム表面から離間させつつ記録紙を通紙させることなく、感光体ドラム上のトナーパターンを転写位置を通過させてクリーナで除去する動作のことである。
強制トナー消費の実行により、現像器内の現像性の低下したトナーを強制的に現像器から排出することができる。また、転写ローラを感光体ドラム表面から離間させることにより、感光体ドラム上のトナーパターンが転写位置で転写ローラ表面に接することがなく、トナーパターンが転写ローラ表面に付着しないので、トナーパターンを構成する大量のトナー粒子が転写ローラ表面に付着するとした場合にその転写ローラ表面に付着したトナー粒子が強制トナー消費終了後の次のプリント時に転写ニップを通過する記録紙の裏面に付着して、その記録紙がトナーで汚れるといったことが抑制される。
【先行技術文献】
【特許文献】
【０００４】
【特許文献１】特開２００５−７０４９７号公報
【発明の概要】
【発明が解決しようとする課題】
【０００５】
しかしながら、特許文献１のようにトナー強制消費の動作時に転写ローラを感光体ドラム表面から離間させる構成をとると、転写ローラが感光体ドラム表面に圧接する圧接位置と感光体ドラムから離間する離間位置との間を移動するための移動スペースおよび圧接位置と離間位置とを切り替えるための切替機構を装置内に設ける必要が生じる。
画像形成装置は、感光体ドラムを中心にして感光体ドラムの周囲に帯電器、露光装置、現像器などの画像形成のための機能部品が配置される構成を前提に、装置の小型化が要請されており、転写ローラの移動スペースや切替機構を設けるためのスペースを装置内に確保する分、装置を小型化できなくなるという問題が生じる。
【０００６】
このような問題は、上記の劣化トナーを強制消費する画像形成装置に限られず、感光体ドラム表面にその転写位置で転写ローラなどの転写部材が接する構成であり、現像器内のトナーを強制消費する動作を実行可能な画像形成装置一般に生じ得る。
例えば、トナーとキャリアを含む二成分現像剤が現像器に収容されている画像形成装置において、現像剤の交換時期に達したときに、トナー強制消費動作によって現像剤のうちトナーだけを消費してクリーナで回収した後、一時的に蓄積し、現像器内に残ったキャリアだけを新規のものに交換し、その交換後に、蓄積されているトナーを現像器に戻すといった動作を行う場合が考えられる。
【０００７】
この動作では、現像器内に収容されている現像剤のトナーとキャリアのうち、劣化しているキャリアが新規のものに交換され、トナーは再利用されるが、トナー強制消費により感光体ドラム上に形成されたトナーパターンが転写位置を通過してクリーナに回収されることに変わりはないので、上記と同様の問題が生じることになる。
本発明は、上記の問題点に鑑みてなされたものであって、現像器からトナーを強制消費する構成において装置の小型化を図ることが可能な画像形成装置を提供することを目的としている。
【課題を解決するための手段】
【０００８】
上記目的を達成するため、本発明に係る画像形成装置は、像担持体に形成された静電潜像に現像器のトナーを供給して顕像化し、顕像化されたトナー像を、像担持体とこれに接触する転写部材との間で確保される転写ニップを通過するシートに静電転写して画像形成を行う画像形成装置であって、転写部材に転写バイアス電圧を出力する電源部と、画像形成以外の非画像形成時に、シートを通紙させない状態で、像担持体上に特定パターンの静電潜像を形成した後、その特定パターンの静電潜像に現像器のトナーを供給してトナーパターンを形成することにより、現像器内のトナーを強制的に消費するトナー強制消費動作を実行する実行手段と、トナー強制消費動作において、像担持体上のトナーパターンが転写ニップを通過する間にはトナーと同極性の転写バイアス電圧を出力し、転写ニップを通過しない間には交流の転写バイアス電圧を出力するように電源部を制御する電源制御手段と、を備えることを特徴とする。
【０００９】
また、前記実行手段は、複数のトナーパターンを、それぞれが前記像担持体の回転方向に第１の幅を有し、当該像担持体の回転方向に第２の幅からなりトナーパターンが形成されない非画像領域を介して隣り合うように形成することを特徴とする。
さらに、前記転写部材は、転写ローラであり、前記第１の幅は、転写ローラの周長以下であり、前記第２の幅は、転写ローラの周長よりも長いことを特徴とする。
【００１０】
また、前記第１の幅と第２の幅とが等しいことを特徴とする。
また、前記転写ローラは、前記像担持体の回転に伴って前記転写ニップにおいて前記像担持体の回転方向と同方向になるように回転し、前記実行手段は、前記転写ローラが１回転するのに要する時間をｔｅ、隣り合う２つのトナーパターンの一方が転写ニップを通過してから他方が転写ニップに到達するまでの間の時間をｔβとしたとき、前記時間ｔβが時間ｔｅの２倍以上になるように、それぞれのトナーパターンの形成を実行し、前記電源制御手段は、１周期ｔｚが前記時間ｔβ以下であり、１周期ｔｚにおけるマイナス電圧の出力時間ｔｘとプラス電圧の出力時間ｔｙとがそれぞれ前記時間ｔｅ以上の関係を満たす交流電圧を、前記交流の転写バイアス電圧として、前記時間ｔβの間に出力させることを特徴とする。
【００１１】
さらに、現像器内に現に存在するトナー量を指標する値を検出する検出手段を備え、前記実行手段は、前記検出手段の検出値が第１の閾値Ｄａよりも大きい場合には、第１の幅がＬａになり、前記検出値が第１の閾値Ｄａ以下かつ、第１の閾値Ｄａよりも小さい第２の閾値Ｄｂよりも大きい場合には、第１の幅がＬａよりも大きいＬａ１になるようにトナーパターンを形成することを特徴とする。
【００１２】
ここで、前記実行手段は、前記検出手段の検出値が第１の閾値Ｄａよりも大きい場合には、第２の幅がＬｂになり、前記検出値が第１の閾値Ｄａ以下かつ第２の閾値Ｄｂよりも大きい場合には、第２の幅がＬｂよりも小さいＬｂ１になるようにトナーパターンを形成することを特徴とする。
また、前記像担持体上のトナーパターンが転写ニップを通過した後、当該トナーパターンを構成するトナーを当該像担持体から回収する回収手段と、回収されたトナーを収容し、収容したトナーを現像器に戻すトナーリサイクル手段と、前記トナーリサイクル手段の動作を制御するトナーリサイクル制御手段と、を備え、前記現像器には、現像剤としてトナーとキャリアを含む二成分現像剤が収容され、前記トナー強制消費動作は、現像器内にキャリアを残してトナーを現像器から排出させる動作であり、前記トナーリサイクル制御手段は、トナー強制消費動作の実行中に前記回収手段により回収されたトナーを前記トナーリサイクル手段に一時的に収容して蓄積させ、トナー強制消費動作の終了後、前記現像器内に残っている現像剤の交換がなされたことを示す情報を取得すると、前記トナーリサイクル手段に蓄積されているトナーを現像器に戻させることを特徴とする。
【００１３】
また、像担持体の周辺の、現像器から像担持体の回転方向に転写部材までの間の空間に浮遊するトナー粒子をエアと共に吸引して、吸引されたエアを機外に排出する吸引手段を備え、前記実行手段は、トナー強制消費動作において、吸引手段によるエアの吸引量が画像形成時における吸引量よりも大きくなるように吸引手段を制御することを特徴とする。
【発明の効果】
【００１４】
このようにトナー強制消費動作において、像担持体上のトナーパターンが転写ニップを通過する間には転写部材にトナーと同極性の電圧を出力し、トナーパターンが転写ニップを通過していない間には交流電圧を出力する制御を行うことにより、トナーと同極性の電圧が転写部材に印加されている間にトナーには転写部材から遠ざかる方向の静電力が作用することにより、大量のトナーが転写部材に付着することが抑制され、その間に機械的にトナー粒子が転写部材に付着したり、正規の極性とは逆極性に帯電したトナーが転写部材に付着したりしても、トナーパターンが転写位置を通過した後に出力される交流電圧の静電作用により、転写部材に付着したトナー粒子を像担持体に戻させることができ、転写部材が像担持体に接した状態でもトナー粒子が転写部材に付着して転写部材が汚れることによるシートの裏汚れを抑制しつつ、転写部材を像担持体に圧接、離間するための切替機構を設けなくて済むことにより、装置の小型化を図ることが可能になる。
【図面の簡単な説明】
【００１５】
【図１】プリンタの全体の構成を示す図である。
【図２】プリンタに設けられる制御部の構成を示すブロック図である。
【図３】感光体ドラムの表面を平面展開したと仮定した場合の感光体ドラムの表面に強制消費用のトナーパターンが形成されている様子を示す平面図である。
【図４】感光体ドラム上の露光位置、現像位置、転写ニップの位置関係を模式的に示す図である。
【図５】トナー分離処理の内容を示すフローチャートである。
【図６】トナー分離処理のタイミングチャートの例を示す図である。
【図７】分離トナー補給処理の内容を示すフローチャートである。
【発明を実施するための形態】
【００１６】
以下、本発明に係る画像形成装置の実施の形態を、モノクロのデジタルプリンタ（以下、単に「プリンタ」という。）を例に説明する。
（１）プリンタ全体の構成
図１は、プリンタ１の全体の構成を示す図である。
同図に示すように、プリンタ１は、画像プロセス部２、給送部３、定着部４、制御部５、トナーホッパ６と、トナーリサイクル部７と、トナー吸引部８と、操作部９などを備えており、ネットワーク（例えばＬＡＮ）に接続されて、外部の端末装置（不図示）からの印刷（プリント）ジョブの実行指示を受け付けると、その指示に基づいてモノクロ、ここではブラック色の画像形成を実行する。
【００１７】
画像プロセス部２は、矢印Ａで示す方向に回転駆動される感光体ドラム１１と、これを中心にしてその周囲に配された帯電チャージャ１２と、露光部１３と、現像器１４と、転写ローラ１５と、クリーナ１６などから構成される。
給送部３は、記録用のシートの一例としての用紙Ｓを収納しておくための給紙カセット２０と、用紙Ｓを搬送路２９上に１枚ずつ繰り出す繰り出しローラ２１と、繰り出された用紙Ｓを搬送する搬送ローラ対２２と、用紙Ｓを感光体ドラム１１に送り出すタイミングをとるためのタイミングローラ対２３などを有する。
【００１８】
画像プロセス部２において、露光部１３は、制御部５からの画像信号に基づきレーザダイオードを変調駆動して、レーザダイオードから発せられるレーザ光Ｌにより感光体ドラム１１を露光走査する。
感光体ドラム１１は、露光部１３による露光を受ける前にクリーナ１６により表面の残留トナーが除去された後、帯電チャージャ１２により一様に帯電（ここでは、マイナス帯電）されており、一様に帯電した状態で露光部１３からのレーザ光Ｌにより露光位置Ｆにおいて露光走査されることにより、感光体ドラム１１の表面に静電潜像が形成される。
【００１９】
感光体ドラム１１上に形成された静電潜像は、現像位置Ｇで現像器１４からのトナーの供給により顕像化され、感光体ドラム１１表面にトナー像が形成される。ここでは、現像器１４にトナーとキャリアを含む二成分現像剤（以下、「現像剤」という。）Ｄが収容されており、トナーとして感光体ドラム１１と同じマイナス極性のものが用いられ、いわゆる反転現像が行われる。この露光、現像工程によるトナー像の形成動作と同期して、給送部３のタイミングローラ対２３から用紙Ｓが感光体ドラム１１の転写位置に搬送される。
【００２０】
感光体ドラム１１の転写位置では、転写ローラ１５が感光体ドラム１１表面に圧接され、感光体ドラム１１表面との間で転写ニップＨを確保しつつ、感光体ドラム１１の回転に伴って矢印Ｂで示す方向（転写ニップＨにおいて感光体ドラム１１の回転方向と同方向に相当）に従動回転する。転写ローラ１５には、転写バイアス電源部１０１から転写バイアス電圧が供給されており、転写バイアス電圧により感光体ドラム１１と転写ローラ１５間に転写のための電位差が生じ、この電位差による静電作用により、転写ニップＨをタイミングローラ対２３から搬送されて来る用紙Ｓが通過する際に、感光体ドラム１１上に形成されたトナー像が用紙Ｓ上に静電転写される。
【００２１】
トナー像が転写された用紙Ｓは、転写ニップＨを通過し、感光体ドラム１１の表面から分離した後、定着部４に搬送され、定着部４において加熱、加圧されて、その表面のトナー粒子が用紙Ｓ表面に融着して定着し、その後、排出ローラ対２７により排出トレイ２８に排出される。
転写後に感光体ドラム１１上に残存しているトナー（用紙Ｓに転写されずに感光体ドラム１１上に残ったトナー）は、クリーナ１６により回収され、感光体ドラム１１が清掃される。クリーナ１６に回収されたトナーは、トナーリサイクル部７を介して現像器１４内に戻される。また、トナーホッパ６からは、補充用（新品）のトナーが、トナーリサイクル部７を介して現像器１４内に供給される構成になっている。
【００２２】
吸引部８は、感光体ドラム１１の周辺であり、現像器１４から感光体ドラム１１の回転方向（ドラム回転方向）に沿って転写ローラ１５までの間の空間（以下、「ドラム周辺空間」という。）に浮遊するトナー粒子や埃などをエアと共に吸引する。これにより、ドラム周辺空間に浮遊するトナーによって機内が汚れることが防止される。
操作部９は、操作者による用紙サイズ、プリント枚数などの指定や操作者からの各種指示を受け付けるためのキー、各種メッセージなどを表示させるためのディスプレイなどが配置される。各キーにより入力された情報は、制御部５に送られる。
【００２３】
（２）現像器１４の構成
現像器１４は、感光体ドラム１１表面に形成された静電潜像をトナーで現像（顕像化）するものであり、現像ハウジング５０と、現像ローラ５１と、供給スクリュー５２と、攪拌スクリュー５３と、規制ブレード５４と、トナー濃度検出センサ５５などを備える。
現像ハウジング５０は、仕切り５７を挟んで現像室５８と攪拌室５９に区切られてなり、現像剤Ｄが収容されると共に、現像室５８に現像ローラ５１と供給スクリュー５２が配置され、攪拌室５９に攪拌スクリュー５３が配置されている。現像ローラ５１、供給スクリュー５２、攪拌スクリュー５３のそれぞれの軸方向は、感光体ドラム１１の軸方向と平行になっている。
【００２４】
現像ローラ５１は、現像室５８の、感光体ドラム１１と対向する側に設けられた開口を介して感光体ドラム１１と対向する位置に配置されており、周面に現像剤Ｄを担持しつつ、矢印Ｃで示す方向に回転して、現像剤Ｄを感光体ドラム１１の現像位置Ｇに搬送する。現像ローラ５１により搬送される現像剤Ｄに含まれるトナーが現像位置Ｇにおいて感光体ドラム１１上の露光された部分に供給され、これにより静電潜像がトナーで顕像化される（静電潜像が現像される）。
【００２５】
現像ローラ５１には、現像バイアス電源部１０２からの現像バイアス電圧が供給されている。現像バイアス電圧は、感光体ドラム１１と現像ローラ５１との間に現像に適した電位差を生じさせるものであり、予め決められている。
供給スクリュー５２は、現像ローラ５１を挟んで感光体ドラム１１とは反対側の位置に現像ローラ５１と並行するように配置され、現像室５８内の現像剤Ｄを軸方向（同図紙面垂直方向）に沿って搬送しつつその搬送中に現像剤Ｄを現像ローラ５１に供給する。
【００２６】
攪拌スクリュー５３は、供給スクリュー５２を挟んで現像ローラ５１とは反対側の位置に、供給スクリュー５２と並行するように配置され、攪拌室５９内の現像剤Ｄを供給スクリュー５２による現像剤搬送方向とは逆方向に沿って搬送しつつ現像剤Ｄを攪拌する。この攪拌により、現像剤Ｄのトナーが正規、ここではマイナスの極性に帯電される。
なお、現像室５８と攪拌室５９のそれぞれの軸方向一方端側と他方端側は、それぞれが連結路（不図示）を介して連通されることにより、現像ハウジング５０内に現像剤Ｄの循環経路が形成されており、この循環経路を供給スクリュー５２と攪拌スクリュー５３により搬送される現像剤Ｄが循環搬送される。また、攪拌室５９の上部であり、装置後側（奥側）の端部には、開口７８が設けられており、この開口７８を介して攪拌室５９とトナーリサイクル部７とが連通する構成になっている。
【００２７】
規制ブレード５４は、現像ローラ５１の周面に担持される現像剤Ｄの量を現像に適した量に規制する部材である。
トナー濃度検出センサ５５は、その検出面が攪拌室５９内に位置するように配置され、現像器１４内の現像剤Ｄのトナー濃度（トナーのキャリアに対する比率）を検出する。
（３）クリーナ１６の構成
クリーナ１６は、クリーナハウジング６０と、クリーニングブレード６１と、第１搬送スクリュー６２と、パドル６３と、第２搬送スクリュー６４などを備える。
【００２８】
クリーナハウジング６０は、感光体ドラム１１の回転軸に沿って長尺状の回収室６６と、回収室６６の装置後側の端部に連設され、トナーリサイクル部７の方向に向かって延びる長尺状の搬送室６７とが設けられてなるＬ字状をした部材である。
第１搬送スクリュー６２とパドル６３は、回収室６６内に配置され、第２搬送スクリュー６４は、搬送室６７内に配置されている。パドル６３は、第１搬送スクリュー６２の回転軸における装置後側の部分に取着され、第１搬送スクリュー６２と共にその回転軸周りに回転する。第１搬送スクリュー６２と第２搬送スクリュー６４は、不図示のモータからの駆動力を受けて回転駆動される。回収室６６の底部には、開口が設けられており、その開口部にクリーニングブレード６１が取着されている。
【００２９】
クリーニングブレード６１は、感光体ドラム１１の回転軸に沿って長尺状であり、先端が感光体ドラム１１の回転方向に対して逆方向に向く姿勢で感光体ドラム１１表面に当接して、感光体ドラム１１上に残存しているトナーを掻き取って、感光体ドラム１１表面を清掃する。クリーニングブレード６１によって掻き取られたトナーは、回収室６６内の第１搬送スクリュー６２によって装置後側に向かって搬送され、装置後側に搬送されると、パドル６３によって搬送室６７に送り込まれる。
【００３０】
回収室６６から搬送室６７に送り込まれたトナーは、搬送室６７内において第２搬送スクリュー６４により、トナーリサイクル部７に向かって搬送される。搬送室６７の、回収室６６とは反対側に位置する端部の底部には、開口６８が設けられており、搬送室６７内を搬送されるトナーは、開口６８を介してトナーリサイクル部７に送られる。
（４）トナーリサイクル部７の構成
トナーリサイクル部７は、リサイクルハウジング７１と、リサイクルハウジング７１内に配置された搬送スクリュー７２と、搬送スクリュー７２を回転駆動させるリサイクルモータ７３と、アクチュエータ７４と、シャッター７５などを備える。
【００３１】
リサイクルハウジング７１は、クリーナハウジング６０の搬送室６７の直下に配され、搬送室６７の長手方向に沿って長尺のパイプ状の部材であり、その長手方向の一方端の底部が現像器１４の攪拌室５９に設けられた開口７８を介して攪拌室５９と連通し、長手方向の他方端の上部が開口７９を介してトナーホッパ６と連通し、長手方向の中央部が搬送室６７の開口６８を介して搬送室６７と連通してなる。
【００３２】
リサイクルハウジング７１には、開口６８を介してクリーナ１６からのトナーが送り込まれると共に、開口７９を介してトナーホッパ６から供給される補充用（新品）トナーが送り込まれる。リサイクルハウジング７１内に送り込まれたトナーは、制御部５の指示により駆動されるリサイクルモータ７３の回転駆動力を受けて回転する搬送スクリュー７２によって、攪拌室５９との連通部である開口７８の位置する側に搬送される。
【００３３】
シャッター７５は、開口７８を開閉するためのものであり、リサイクルハウジング７１の、攪拌室５９の開口７８に対向する部分に設けられている。シャッター７５は、開口７８を遮蔽する閉位置と、開口７８を開放する開位置との間を移動自在に支持されており、直動モータなどのアクチュエータ７４によって、開位置と閉位置とが切り替えられる。この切り替えは、制御部５によって制御される。この制御については、後述する。
【００３４】
（５）トナー吸引部８の構成
トナー吸引部８は、吸引ダクト８１と、フィルタ８２と、吸引ファン８３などを備える。吸引ダクト８１は、感光体ドラム１１の直下に位置する一方の端部に吸引口が設けられ、他方の端部に排出口が設けられてなり、吸引口が感光体ドラム１１の軸方向に沿って長尺状に延設されており、吸引口と排出口との間がパイプ状のダクト部分で連結され、排出口がフィルタ８２を介して吸引ファン８３のエア吸引口に連結されてなる。
【００３５】
吸引ファン８３が駆動すると、吸引ダクト８１内に図１の矢印で示す方向にエアが流れ、ドラム周辺空間に浮遊するトナー粒子などが吸引ダクト８１の吸引口から吸引され、吸引ダクト８１の内部を通りフィルタ８２で捕捉される。吸引ファン８３は、低速回転と高速回転とを切替可能な構成になっており、制御部５の指示により切り替えられる。
（６）制御部５の構成
図２は、制御部５の構成を示すブロック図である。
【００３６】
同図に示すように、制御部５は、通信インターフェース（Ｉ／Ｆ）部９１と、ＣＰＵ９２と、ＲＯＭ９３と、ＲＡＭ９４と、画像メモリ９５と、トナー分離処理実行部９６と、分離トナー補給処理部９７と、パターンデータ記憶部９８と、タイマー９９を備え、各部は相互に信号やデータのやりとりを行えるようになっている。
通信Ｉ／Ｆ部９１は、ネットワーク、ここではＬＡＮと接続するためのＬＡＮカード、ＬＡＮボードといったインターフェースであり、外部端末からＬＡＮを介して送られてくるプリントジョブのデータを受信して、画像メモリ９５に格納させる。
【００３７】
ＲＡＭ９４は、ＣＰＵ９２のワークエリアとなる。
ＣＰＵ９２は、ＲＯＭ９３から必要なプログラムを読み出し、画像メモリ９５に格納されているプリントジョブのデータに基づき、画像プロセス部２、給送部３、定着部４などを制御して、画像形成動作（プリント）を円滑に実行させる。
また、ＣＰＵ９２は、プリントジョブ実行中にトナー濃度検出センサ５５の検出信号を受信して現像器１４内のトナー濃度を検出し、検出されたトナー濃度が現像に適した所定の濃度（基準濃度）に維持されるように、トナーホッパ６による補充用トナーの補給量を調整する。具体的には、検出されたトナー濃度が基準濃度よりも低ければ、トナーホッパ６に対してトナーを補給する指示を行い、基準濃度よりも高ければトナーの補給を禁止する指示を行う。なお、ＣＰＵ９２は、プリントジョブ実行中には、トナーリサイクル部７のシャッター７５を開位置に位置させつつ搬送スクリュー７２も回転駆動させるが、トナー濃度に応じてシャッター７５を開閉させるなど他の制御を行うとしても良い。
【００３８】
さらに、ＣＰＵ９２は、プリントジョブ実行時に、転写バイアス電源部１０１に指示して、転写に適した転写バイアス電圧を転写ローラ１５に供給させると共に、現像バイアス電源部１０２に指示して、現像に適した現像バイアス電圧を現像ローラ５１に供給させる。同様に、プリントジョブ実行時に、吸引ファン８３をプリント時に適した回転速度として予め決められた回転速度（低速）で回転が維持されるように制御する。
【００３９】
また、ＣＰＵ９２は、現像器１４内の現像剤Ｄを交換する時期に達したことを判断すると、その旨を示すメッセージを操作部９のディスプレイに表示させる。操作者は、このメッセージを見ることにより、現像剤Ｄが交換時期に達していることを知ることができ、現像剤Ｄの交換作業を行う前に実行すべき前処理（後述のトナー分離処理に相当）の実行指示を操作部９に設けられたキー（不図示）の操作により行うことができる。
【００４０】
なお、現像剤Ｄの交換時期に達したことの判断は、例えばプリントの累積枚数が所定枚数に達したことを判断することにより行われる。所定枚数は、現像剤Ｄのキャリアの劣化が最低限の画質を維持できない程度まで進んだときのプリントの推定累積枚数に相当し、予め実験などにより求められ、その枚数を示す情報がＲＯＭ９３などに格納される。プリントの累積枚数を示す情報は、例えば不揮発性の記憶部（不図示）に格納され、１枚の用紙に対してプリントが行われるごとに累積枚数が更新される。
【００４１】
ＣＰＵ９２は、操作者による前処理の実行指示を受け付けると、用紙Ｓに転写して出力すべき画像を形成するプリントジョブ（画像形成）実行時以外の非画像形成時に、トナー分離処理実行部９６に対して、前処理としてのトナー分離処理の実行を指示する。
トナー分離処理実行部９６は、ＣＰＵ９２からの指示によりトナー分離処理を実行する。このトナー分離処理は、以下のような動作を実行する処理をいう。
【００４２】
すなわち、非画像形成時に、用紙Ｓを給送させることなく、感光体ドラム１１上に強制消費用の高濃度ベタのトナーパターンを形成することにより現像剤Ｄに含まれるトナーを強制消費（キャリアから分離）させ、感光体ドラム１１上に形成されたトナーパターンを転写ニップＨを通過させてクリーナ１６で回収する。そして、回収したトナーをクリーナ１６からトナーリサイクル部７に送りつつ、リサイクルモータ７３を停止させると共にシャッター７５を閉位置に切り替えて、クリーナ１６からの回収トナーを現像器１４に戻らないようにして、トナーリサイクル部７に一時的に収容して蓄積する動作である。
【００４３】
この動作により、現像剤Ｄのトナーが強制消費され、トナーの強制消費が進むに連れて現像器１４内のトナー量が減りつつキャリアが残るようになり、キャリアのトナーに対する割合が高くなる。この割合が所定値に達するとトナー分離処理が停止される。
なお、トナー分離処理の実行中には、吸引ファン８３が低速から高速回転に切り替えられ、また感光体ドラム１１上に形成されたトナーパターンが転写ニップＨを通過する際に、トナーパターンを構成するトナー粒子が転写ローラ１５に付着して転写ローラ１５を汚すことを抑制するために、転写ローラ１５に供給される転写バイアス電圧がトナー強制消費時専用の電圧波形に切り替えられる。吸引ファン８３の回転制御、トナーパターンの形成、転写バイアスの電圧波形の詳細については、後述する。
【００４４】
操作者は、トナー分離処理の終了後、現像器１４内に残った現像剤Ｄ（ほとんどがキャリアのもの）を新たな現像剤（トナーのキャリアに対する比率が通常のジョブ実行中の基準濃度よりもかなり低い、換言するとキャリアの割合が高い所定の値に設定されているもの）に交換する作業を行うことができ、現像剤の交換が終了すると、その旨を操作部９に設けられたキー（不図示）の操作により入力することができる。
【００４５】
分離トナー補給処理部９７は、操作者により操作部９のキーを介して現像剤の交換が終了した旨の入力を受け付けると、分離トナー補給処理を実行する。
分離トナー補給処理は、トナーリサイクル部７のリサイクルモータ７３を回転駆動させると共にシャッター７５を開位置に切り替え、トナーリサイクル部７に一時的に収容されていた回収トナーを現像器１４内に徐々に戻しつつ、現像器１４内の現像剤Ｄのトナー濃度が目標濃度に達すると、リサイクルモータ７３の回転を停止させる動作である。
【００４６】
これにより、トナーリサイクル部７に蓄積されていたトナーが現像器１４内に戻されて、現像器１４内の新たな現像剤Ｄと混合されて再利用される。
上記では、現像剤の交換作業が終了したことを、操作者による操作部９上のキー入力の受け付けにより判断するとしたが、これに限られず、現像剤の交換がなされたことを示す情報を取得することができれば良い。例えば、新たな現像剤が収容されている新規の現像器が旧の現像器に代えて装置本体にセットされた場合に、その新規の現像器をセンサ等の検出器により検出する構成であれば、その検出器により検出が行われたことを前記情報の取得とすることもできる。
【００４７】
パターンデータ記憶部９８には、高濃度ベタのトナーパターンを形成するための画像データが予め格納されている。トナーパターンの濃度は、最大濃度とすることが好ましいが、これに限られず、例えば最大と最小の間の中間調に相当する濃度などであっても良い。
タイマー９９は、転写バイアスの出力電圧を切り替えるときの切替タイミングなどの計時に用いられる。
【００４８】
（７）トナーパターンと転写バイアス電圧の波形について
図３は、感光体ドラム１１の表面を平面展開したと仮定した場合の感光体ドラム１１の表面に強制消費用のトナーパターンＰが形成されている様子を示す平面図であり、転写バイアス電圧の波形の例を併せて示している。
同図に示すようにトナーパターンＰは、主走査方向に長尺の帯状であり、高濃度（濃い濃度）のベタのパターンからなり、主走査方向の長さがＬｃ、副走査方向（ドラム回転方向に相当）の幅がＬａになっている。長さＬｃは、感光体ドラム１１の主走査方向長さよりもやや短く、幅Ｌａは、転写ローラ１５の周長をＬｒとすると、０＜Ｌａ≦Ｌｒの関係を有している。ここでは、幅Ｌａが転写ローラ１５の周長Ｌｒの半分の値である。
【００４９】
トナーパターンＰは、複数であり、隣り合う２つのトナーパターンＰが副走査方向に間隔（幅）Ｌｂをおいて並べられるように感光体ドラム１１上に順次、形成される。
副走査方向に隣り合う２つのトナーパターンＰの間に位置する領域（幅Ｌｂで現される領域）Ｑは、トナーパターンＰが形成されていない非画像領域に相当する。幅Ｌｂは、Ｌｒの２倍以上、例えばＬｒの２．５倍の値になっている。トナーパターンＰの副走査方向の幅Ｌａと、非画像領域Ｑの副走査方向の幅Ｌｂとが、０＜Ｌａ≦Ｌｒ、２×Ｌｒ≦Ｌｂの関係を満たすようにしている理由については、後述する。
【００５０】
副走査方向に幅Ｌａを有するトナーパターンＰを１つ形成するのに要する時間Ｔｐは、感光体ドラム１１の周面の回転速度（ドラム周速）をＶとすると、幅Ｌａをドラム周速Ｖで除した値（＝Ｌａ／Ｖ）に相当する。
一方、同図に示す時間Ｔｑは、１つのトナーパターンＰの感光体ドラム１１への静電潜像の書き込みが終了してから次のトナーパターンＰの感光体ドラム１１への静電潜像の書き込みを開始するまでの時間、換言すると幅Ｌｂだけ非画像領域Ｑを形成するのに要する時間であり、幅Ｌｂをドラム周速Ｖで除した値（＝Ｌｂ／Ｖ）に相当する。
【００５１】
転写バイアス電圧は、直流電圧を示す波形部分ＴＢ１と、交流電圧を示す波形部分ＴＢ２とが交互に繰り返された波形の電圧になっている。
波形部分ＴＢ１の直流電圧（−Ｖ１）は、トナーと同極性のマイナスの直流電圧であり、例えば−５００〔Ｖ〕〜−１〔ｋＶ〕の範囲内の値になっており、トナーパターンＰごとに、そのドラム回転方向先端（以下、「先端」という。）Ｐｓが転写ニップＨに到達してから（時点Ｔ１）、ドラム回転方向後端（以下、「後端」という。）Ｐｅが転写ニップＨを抜ける（時点Ｔ２）までの間（トナーパターンＰが転写ニップＨを通過する間）の時間ｔαに転写ローラ１５に出力される。なお、同図の時間ｔｒは、転写ニップＨの幅Ｗ（図４）をドラム周速Ｖで除した時間に相当し、トナーパターンＰが転写ニップＨを通過するのに要する時間が、時間Ｔｐに時間ｔｒを足し合わせた時間であることを示している。後述の図４で具体的に説明する。
【００５２】
感光体ドラム１１上におけるトナーパターンＰの形成領域は、露光走査がなされた領域なので、感光体ドラム１１上の電位（マイナス）が絶対値で０Ｖ近くまで低下しており、この電位は、絶対値で転写ローラ１５に供給されているマイナスの直流電圧（−Ｖ１）よりも低くなり、感光体ドラム１１と転写ローラ１５間に電位差が生じる。
この電位差により、感光体ドラム１１と転写ローラ１５間に、感光体ドラム１１上のトナーパターンＰを構成するトナー粒子のうち、正規のマイナス極性に帯電しているトナー（以下、「正極性帯電トナー」という。）粒子に、感光体ドラム１１に引き寄せられる方向（換言すると、転写ローラ１５から遠ざかる方向）の静電力が作用し、この静電力の作用により正極性帯電トナー粒子が感光体ドラム１１から離れて転写ローラ１５の表面に移動して付着することが抑制される。
【００５３】
一方、波形部分ＴＢ２の交流電圧は、１つのトナーパターンＰの後端Ｐｅが転写ニップＨを抜けてから（時点Ｔ２）、次のトナーパターンＰの先端Ｐｓが転写ニップＨに到達する（時点Ｔ３）までの時間ｔβの間に転写ローラ１５に供給される。この時間ｔβは、上記の幅Ｌｂ、転写ニップＨの幅Ｗ、ドラム周速Ｖから決まる値である。
そして、波形部分ＴＢ２の交流電圧は、時間ｔβを１周期として、その１周期ｔβのうち、マイナス成分の出力時間ｔｘとプラス成分の出力時間ｔｙが半周期ずつ（ｔｘ＝ｔｙ＝ｔβ／２）、かつ、時間ｔｘ、ｔｙが時間ｔｅ（＝Ｌｒ／Ｖ）以上であり、さらにマイナス成分の電圧−Ｖ２の値とプラス成分の電圧＋Ｖ３の値とが絶対値で同じであり、Ｖ１の値よりも絶対値で大きく、帯電電圧（マイナス）よりも絶対値で大きい値の矩形波の電圧になっている。例えば、−Ｖ２が−５００〔Ｖ〕〜−１〔ｋＶ〕の範囲内の値とすることができる。
【００５４】
転写ローラ１５は、感光体ドラム１１に従動回転し、転写ローラ１５の周速と感光体ドラム１１の周速とが同じであるので、上記の時間ｔｅ（＝Ｌｒ／Ｖ）は、転写ローラ１５が１回転するのに要する時間に相当する。従って、マイナス成分の電圧−Ｖ２は、転写ローラ１５が１回転する時間以上に亘って転写ローラ１５に供給され、プラス成分の電圧＋Ｖ３も、マイナス成分の電圧−Ｖ２に続いて、転写ローラ１５が１回転する時間以上に亘って転写ローラ１５に供給されることになる。
【００５５】
ここで、上記のように交流電圧のマイナス成分の電圧値を絶対値で帯電電圧（マイナス）よりも大きい値にするのは、次の理由による。すなわち、転写バイアスの交流電圧は、感光体ドラム１１上の非画像領域Ｑが転写ニップＨを通過する際に転写ローラ１５に供給されるが、感光体ドラム１１上の非画像領域Ｑは、露光されていない部分であり、マイナス帯電されたままの状態になっている。
【００５６】
このようなマイナス帯電されたままの感光体ドラム１１上の非画像領域Ｑに、マイナス帯電している正極性帯電トナー粒子を転写ローラ１５から感光体ドラム１１に移動させるには、感光体ドラム１１と転写ローラ１５間に、正極性帯電トナー粒子に対して感光体ドラム１１に引き寄せられる方向の力を作用させる電界を生じさせる必要があり、そのような電界を生じさせるには、感光体ドラム１１上の非画像領域Ｑの電位よりも転写ローラ１５の電位を絶対値で上げるようにすることが必要であるからである。
【００５７】
このように転写ローラ１５に転写バイアスの交流電圧のマイナス成分が供給されている間（時間ｔｘ）には、感光体ドラム１１と転写ローラ１５間に正極性帯電トナー粒子に対して感光体ドラム１１に引き寄せられる方向の静電力を作用させる電界が生じ、この静電力の作用により、正極性帯電トナー粒子が転写ローラ１５表面に例えば機械的に付着してしまった場合でも、その正極性帯電トナー粒子を転写ローラ１５から感光体ドラム１１に移動させる（戻させる）ことができる。
【００５８】
この静電力の作用は、時間ｔｘだけ続き、時間ｔｘが転写ローラ１５の１回転に要する時間以上になっているので、転写ローラ１５表面において周方向にどの位置に正極性帯電トナーが付着していても、その静電力の作用により転写ローラ１５表面に付着している正極性帯電トナーを転写ローラ１５から離間させて感光体ドラム１１に戻して付着させることができる。また、転写ローラ１５からの離間にまで及ばなくても、転写ローラ１５表面との機械的付着力が弱まれば、次の直流電圧（マイナス）の出力時に感光体ドラム１１に戻すことができる。正規の極性に帯電しているが帯電量が正規のものよりも低下したトナー粒子についても同様である。
【００５９】
一方、転写ローラ１５に転写バイアスの交流電圧のプラス成分が供給されている間（時間ｔｙ）には、感光体ドラム１１と転写ローラ１５間に、正規とは逆極性（プラス）に帯電しているトナー（以下、「逆極性帯電トナー」という。）粒子に対して、感光体ドラム１１に引き寄せられる方向の静電力を作用させる電界が生じる。
逆極性帯電トナー粒子は、正極性帯電トナー粒子に比べて極めて少ない数しか存在しないが、通常のプリント時に転写ニップＨを通過する際に転写電圧（プラス）が印加された後にクリーナ１６により回収されて現像器１４に戻されたトナー粒子の中に含まれていることが多い。このような逆極性帯電トナー粒子が転写ローラ１５表面に付着していても、上記の静電力の作用により、逆極性帯電トナー粒子を転写ローラ１５から感光体ドラム１１に移動させることができる。
【００６０】
この静電力の作用は、時間ｔｙだけ続くが、この時間ｔｙも時間ｔｘと同様に、転写ローラ１５の１回転に要する時間以上になっているので、転写ローラ１５表面において周方向にどの位置に逆極性帯電トナーが付着していても、その静電力の作用により転写ローラ１５表面に付着している逆極性帯電トナーを転写ローラ１５から離間させて感光体ドラム１１に戻して付着させることができる。また、正極性帯電トナーの場合と同様に、転写ローラ１５からの離間にまで及ばなくても、転写ローラ１５表面との機械的付着力が弱まれば、次のプラス成分の出力時に感光体ドラム１１に戻すことができる。
【００６１】
このように転写バイアスの交流電圧の出力により、転写ローラ１５表面に付着した正極性帯電トナーと逆極性帯電トナーの両方を転写ローラ１５表面から除去して、転写ローラ１５表面に付着したトナー粒子が蓄積されることによるトナー汚れを防止できる。
なお、上記では、転写バイアスの交流電圧におけるマイナスの出力時間ｔｘとプラスの出力時間ｔｙが時間ｔｅ以上であるとしたが、時間ｔｘとｔｙを足し合わせた時間を時間ｔβとする場合、時間ｔｘとｔｙが長くなることは、幅Ｌｂ（時間Ｔｑ）が長くなることを意味するので、次のトナーパターンＰの形成を開始するタイミングが遅れる、すなわちトナーパターンＰの単位時間当たりの形成個数が減って、現像器１４に収容されているトナーの消費に要する全体の時間が長くかかることになる。従って、出力時間ｔｘ、ｔｙの長さ、すなわち幅Ｌｂ（時間Ｔｑ）の長さは、転写ローラ１５表面からトナー粒子を除去するのに要する時間の最短の時間に設定されることが望ましい。
【００６２】
また、交流電圧（マイナスとプラス成分が交互に出力される波形の電圧）であれば良く、１周期のうち出力時間ｔｘ、ｔｙの長さを異ならせる（比率を変える）としたり、絶対値で−Ｖ２と＋Ｖ３を異なる電圧値としたりすることもできる。さらに、転写バイアスの直流電圧の値（−Ｖ１）と交流電圧のマイナス成分の電圧値（−Ｖ２）とが絶対値で直流電圧の方が小さいとしたが、この電圧の大小関係もこれに限られず、例えば同じ値や大小が逆の関係をとることも可能である。なお、（−Ｖ１）＝（−Ｖ２）とすれば、時点Ｔ２において直流から交流電圧に切り替えるときに電圧値を可変させる必要がなくなる。
【００６３】
また、上記では交流電圧を、その１周期において最初にマイナス成分の電圧が出力され、続いてプラス成分の電圧が出力される波形としたが、場合によっては、逆の順序、すなわちプラスの次にマイナス成分が出力される波形とすることもできる。上記の各条件を２つ以上、組み合わせるとしても良い。いずれにしても、実験などにより装置構成に応じてその装置に適した値を設定することができる。
【００６４】
（８）転写バイアス電圧の切り替えについて
転写バイアスの直流電圧と交流電圧とは、感光体ドラム１１上に形成されるトナーパターンＰが転写ニップＨを通過する間とトナーパターンＰが転写ニップＨを通過していない間とで、それぞれのタイミングに合うように交互に切り替えられる。この電圧の切り替え方法を、図４を用いて説明する。
【００６５】
図４は、ドラム回転方向に、露光部１３による感光体ドラム１１上の露光位置をＦ、現像器１４による感光体ドラム１１上の現像位置をＧ、感光体ドラム１１と転写ローラ１５との圧接により形成される転写ニップをＨとした場合の各位置を模式的に示す図である。
なお、同図では、転写ニップＨのドラム回転方向の幅をＷ、感光体ドラム１１の周面において露光位置Ｆからドラム回転方向に転写ニップＨのドラム回転方向上流側の端部までの距離をＬｚとしている。
【００６６】
トナーパターンＰの先端Ｐｓが露光位置Ｆから転写ニップＨに到達するまでに要する時間をｔｆとすると、時間ｔｆは、距離Ｌｚをドラム周速Ｖで除した値（＝Ｌｚ／Ｖ）に相当し、トナーパターンＰの感光体ドラム１１への静電潜像の書き込み開始時から時間ｔｆの経過時に、トナーパターンＰの先端Ｐｓが転写ニップＨに到達することになる。
従って、トナーパターンＰの感光体ドラム１１への静電潜像の書き込み開始時から時間ｔｆの経過時（図３の時点Ｔ１に相当）に、転写バイアスの直流電圧（ＴＢ１）の、転写ローラ１５への供給（転写バイアスの直流電圧の出力）を開始させれば、トナーパターンＰの先端Ｐｓが転写ニップＨに到達するタイミングと、転写バイアスの直流電圧（ＴＢ１）の出力開始タイミングとが同期することになる。
【００６７】
転写バイアスの直流電圧（ＴＢ１）の出力開始後、その出力の停止時期（交流電圧の出力開始と同時期に相当）は、次のようにして求められる。
すなわち、上記のように１つのトナーパターンＰの形成に要する時間Ｔｐは、トナーパターンＰの感光体ドラム１１への静電潜像の書き込み開始から終了までに要する時間に相当し、トナーパターンＰの感光体ドラム１１への静電潜像の書き込み開始時から時間Ｔｐの経過時に１つのトナーパターンＰの形成が終了する。
【００６８】
この１つのトナーパターンＰの先端Ｐｓが転写ニップＨに到達してから後端Ｐｅが転写ニップＨを抜けるまでに要する時間をｔα（図３）とすると、時間ｔαは、時間Ｔｐに、転写ニップＨの幅Ｗをドラム周速Ｖで除した時間ｔｒ（＝Ｗ／Ｖ）を足し合わせた時間に相当し、転写バイアスの直流電圧（ＴＢ１）の出力開始時（時点Ｔ１）から時間ｔαの経過時に、トナーパターンＰの後端Ｐｅが転写ニップＨを抜けることになる。
【００６９】
従って、転写バイアスの直流電圧（ＴＢ１）の出力開始時（時点Ｔ１）から時間ｔαの経過時（図３の時点Ｔ２に相当）に、転写バイアスの出力を直流電圧（ＴＢ１）から交流電圧（ＴＢ２）に切り替えれば、トナーパターンＰの後端Ｐｅが転写ニップＨを抜けるタイミングと、転写バイアスの直流電圧（ＴＢ１）の出力停止タイミング、すなわち交流電圧（ＴＢ２）の出力開始タイミングとが同期することになる。図３において時点Ｔ１からＴ２までの時間ｔαが時間Ｔｐよりも長くなっており、この差分が転写ニップＨの幅ＷをトナーパターンＰの後端Ｐｅが移動するのに要する時間ｔｒ（＝Ｗ／Ｖ）に相当する。
【００７０】
転写バイアスの交流電圧（ＴＢ２）の出力の停止時期は、次のようにして求められる。
すなわち、１つのトナーパターンＰの感光体ドラム１１への静電潜像の書き込み開始から、次のトナーパターンの感光体ドラム１１への静電潜像の書き込み開始までに要する時間は、時間（Ｔｐ＋Ｔｑ）で表され、１つのトナーパターンＰの先端Ｐｓが転写ニップＨに到達してから、次のトナーパターンＰの先端Ｐｓが転写ニップＨに到達するまでに要する時間も同じ時間（Ｔｐ＋Ｔｑ）で表されるから、時間（Ｔｐ＋Ｔｑ）から転写バイアスの直流電圧ＴＢ１の出力時間ｔαを差し引いた時間ｔβ（図３）が転写バイアスの交流電圧（ＴＢ２）の出力時間に相当することになる。時間ｔαは、時間Ｔｐに時間ｔｒを足し合わせた時間なので、時間ｔβは、Ｔｑ−ｔｒで表すことができる。
【００７１】
従って、転写バイアスの出力を直流から交流に切り替えてから（時点Ｔ２）、時間ｔβの経過時（図３の時点Ｔ３に相当）に、転写バイアスの出力を交流から直流に切り替えれば、次のトナーパターンＰの先端Ｐｓが転写ニップＨに到達するタイミングと、転写バイアスの直流電圧（ＴＢ１）の出力開始タイミング、すなわち交流電圧（ＴＢ２）の出力停止タイミングとが同期することになる。
【００７２】
このようにトナーパターンＰごとに、トナーパターンＰに対する感光体ドラム１１への静電潜像の書き込み開始から時間ｔｆの経過時に転写バイアスの直流電圧ＴＢ１の出力が開始され、転写バイアスの直流電圧ＴＢ１の出力が開始されてから時間ｔαの経過時に直流から交流電圧ＴＢ２に切り替わり、交流電圧ＴＢ２に切り替わってから時間ｔβの経過時に直流電圧ＴＢ１に戻るように電圧の切り替えタイミングを設定することにより、トナーパターンＰが転写ニップＨを通過する間には転写バイアスとして直流電圧ＴＢ１を出力させ、転写ニップＨを通過すると交流電圧ＴＢ２に切り替えることが可能になる。
【００７３】
なお、上記では転写ニップＨの幅Ｗを考慮するとしたが、幅Ｗが微小な構成であれば、Ｗ＝０としてタイミングを設定することもできる。
（９）トナー分離処理の内容
図５は、トナー分離処理の内容を示すフローチャートであり、図６は、トナー分離処理のタイミングチャートの例を示す図である。トナー分離処理は、トナー分離処理実行部９６により実行される。
【００７４】
図５に示すように、トナーリサイクル部７のアクチュエータ７４を駆動して、トナーリサイクル部７のシャッター７５を閉位置に切り替え（ステップＳ１）、リサイクルモータ７３をＯＦＦ（停止）させて、搬送スクリュー７２の回転を停止させる（ステップＳ２）（図６の時点ｔ０）。これにより、リサイクルハウジング７１内のトナーが現像器１４に送られることが禁止される。なお、元々、シャッター７５が閉位置になっている場合、リサイクルモータ７３が停止している場合には、その閉位置、停止の状態が継続される。
【００７５】
そして、吸引ファン８３を低速回転から高速回転に切り替える（ステップＳ３）。吸引ファン８３を高速回転に切り替えるのは、以下の理由による。
すなわち、トナー強制消費で形成される高濃度ベタのトナーパターンＰは、感光体ドラム１１上においてトナー粒子が何重にも積層されたような状態になっており、このようにトナー粒子が何重にも積層されると、最外層のトナー粒子がその内側のトナー層から離れてドラム周辺空間に飛び出して浮遊トナーになることが、通常のプリント時のように高濃度ベタを連続形成することがほとんどない場合よりも発生し易くなる。
【００７６】
そこで、吸引ファン８３を低速回転よりも単位時間当たりのエア吸引量が増加するように高速回転に切り替えて、トナー強制消費によりドラム周辺空間を浮遊するトナー粒子の数が増えた場合でも、そのトナー粒子をより多く捕集しようとするものである。
ステップＳ４では、トナーパターンＰのトナーパターン形成時間Ｔｐをｔｐ、非画像領域形成時間Ｔｑをｔｑに設定する。トナーパターン形成時間Ｔｐは、トナーパターンＰの副走査方向における幅Ｌａ（図３）の大きさに相当し、非画像領域形成時間Ｔｑは、隣り合うトナーパターンＰの間隔（非画像領域Ｑ）の副走査方向における幅Ｌｂ（図３）の大きさに相当する。このステップＳ４において設定された時間が、現時点での副走査方向におけるトナーパターンＰと非画像領域Ｑの形成時間になる。
【００７７】
トナーパターンＰの静電潜像を感光体ドラム１１に書き込む処理（露光走査）を開始し（図６の時点ｔ１）、その書き込み処理をトナーパターン形成時間として設定された時間Ｔｐ（＝ｔｐ１）だけ継続して実行しつつ（ステップＳ５）、感光体ドラム１１上のトナーパターンＰの静電潜像が現像位置Ｇを通過する際に、その静電潜像にトナーを供給して顕像化する現像工程を実行する（ステップＳ６）。これにより、現像位置Ｇにおいて感光体ドラム１１上に高濃度ベタのトナーパターンＰの可視像が形成される。
【００７８】
転写バイアス電源部１０１に指示して、感光体ドラム１１へのトナーパターンＰの静電潜像の書き込み開始時から所定時間ｔｆの経過時（図６の時点ｔ２）を基点に転写バイアスの直流電圧ＴＢ１の出力を開始し、時間ｔαの経過時（図６の時点ｔ３）に直流電圧ＴＢ１から交流電圧ＴＢ２に切り替えて、交流電圧ＴＢ２を時間ｔβだけ継続して出力させる（ステップＳ７）。この時間ｔαとｔβは、図３に記載のｔαとｔβに相当する。
【００７９】
これにより、感光体ドラム１１上に形成されているトナーパターンＰが転写ニップＨを通過している間、すなわちトナーパターンＰの先端Ｐｓが転写ニップＨに到達してから後端Ｐｅが転写ニップＨを抜けるまでの間には、転写ローラ１５に直流の転写バイアス電圧が供給され、トナーパターンＰが転写ニップＨを抜けると（通過すると）、直流から交流電圧に切り替わり、次のトナーパターンＰが転写ニップＨに到達するまでの間、転写ローラ１５に交流電圧が供給されることになる。
【００８０】
感光体ドラム１１上のトナーパターンＰが転写ニップＨを通過する間に、トナーパターンＰを構成するトナー粒子が転写ローラ１５表面に接するが、転写バイアス電圧としてトナーと同極性のマイナスの直流電圧が転写ローラ１５に供給されるので、トナーパターンＰを構成するトナー粒子のほとんどである正極性帯電トナー粒子に対して、感光体ドラム１１表面に引き寄せられる力が作用し、トナーパターンＰが転写ニップＨを抜けた後に正極性帯電トナーが転写ローラ１５表面に付着し続けることが抑制される。
【００８１】
トナーパターンＰが転写ニップＨを抜けると、転写バイアスが交流電圧ＴＢ２に切り替わるので、転写ニップＨを通過中に機械的に転写ローラ１５表面に付いたトナー粒子や静電的に転写ローラ１５表面に付いた逆極性帯電トナー粒子を感光体ドラム１１表面に戻して付着させることができ、転写ローラ１５表面のトナー付着による汚れが抑制される。
さらに、トナーパターンＰの幅Ｌａ、非画像領域Ｑの幅Ｌｂ、転写ローラ１５の周長Ｌｒを上記の大小関係にすることにより、転写ローラ１５表面のトナー粒子の付着による汚れを、より抑制することが可能になる。
【００８２】
すなわち、トナーパターンＰの幅Ｌａを転写ローラ１５の周長Ｌｒ以下の長さにすることにより、トナーパターンＰの先端Ｐｓが転写ニップＨに到達してから後端Ｐｅが転写ニップＨを抜けるまでの間の転写ローラ１５の回転が１周以下になり、転写ローラ１５の表面にその１周以上に亘って、高濃度ベタのトナーパターンＰが接することが生じない。
転写ローラ１５には、トナーパターンＰが転写ニップＨを通過している間に、トナーと同極性の直流電圧ＴＢ１の転写バイアスが供給されるので、この直流電圧による静電力により転写ローラ１５にはトナー粒子が付着し難くなるが、トナーパターンＰが高濃度ベタの場合、単位時間当たりに転写ローラ１５表面に接するトナー粒子の量が多くなる。
【００８３】
このような状態で、トナーパターンＰが転写ニップＨを通過する間の転写ローラ１５の回転数が１回転を超える、すなわちトナーパターンＰの幅Ｌａが転写ローラ１５の周長Ｌｒよりも長くなると、転写ローラ１５が１回転する間に転写ローラ１５の表面に機械的に付着したトナー粒子や静電的に付着した逆極性帯電トナー粒子が転写ローラ１５の１回転後に転写ニップＨに再び入ったときに、転写ニップＨにおいて感光体ドラム１１上のトナーパターンＰと接触し、そのトナーパターンＰの一部のトナー粒子が、既に転写ローラ１５の表面に付着していたトナー粒子の上に積み重なるようにして付着するなど、転写ローラ１５の表面にトナーが蓄積され易くなる。
【００８４】
そこで、トナーパターンＰの幅Ｌａを転写ローラ１５の周長Ｌｒ以下の長さ、ここでは半分にすることにより、転写ローラ１５表面におけるトナー粒子の蓄積が抑制され、トナー粒子の蓄積による転写ローラ１５表面の汚れをより抑制することができる。
また、非画像領域の幅Ｌｂを転写ローラ１５の周長Ｌｒの２倍以上にすることにより、交流電圧ＴＢ２のマイナスとプラス成分の出力時間ｔｘ、ｔｙを転写ローラ１５の１回転に要する時間以上をとることができ、トナーパターンＰが転写ニップＨを通過する間に転写ローラ１５表面に機械的に付着したトナー粒子や逆極性帯電トナー粒子を、感光体ドラム１１上のトナーパターンＰが形成されていない非画像領域であるドラム表面部分に戻すための十分な時間を確保して、逆極性帯電トナー粒子などが転写ローラ１５表面に付着し続けることを抑制することができるからである。
【００８５】
感光体ドラム１１上のトナーパターンＰは、転写ニップＨを通過した後、クリーナ１６により感光体ドラム１１から回収され、クリーナ１６からリサイクル部７に搬送されて、リサイクル部７のリサイクルハウジング７１内に一時的に収容、蓄積される。
そして、現像剤Ｄのトナー濃度Ｄｔを検出する（ステップＳ８）。このトナー濃度Ｄｔの検出は、トナー濃度検出センサ５５からの検出信号を受信することにより行われる。
【００８６】
検出されたトナー濃度Ｄｔが閾値Ｄａ以下であるか否かを判断する（ステップＳ９）。ここで、閾値Ｄａとは、トナーパターン形成時間Ｔｐを、最初にステップＳ４で設定した時間ｔｐよりも長い時間ｔｐ１に切り替えるか否かを判断するための値である。トナーパターン形成時間Ｔｐを大小に切り替えるのは、次の理由による。
すなわち、トナー分離処理における初期と終盤とを比較すると、初期の方が終盤よりも現像器１４内にトナーが大量に存在するので、トナーパターンＰが高濃度で現像される。ところが、トナー分離処理が進んで終盤になると、現像器１４内のトナー量が初期時よりも大幅に減少しているので、初期時と同じ電位のトナーパターンＰの静電潜像を形成しても、その静電潜像に対して本来の高濃度に相当する量のトナーを現像工程で供給することができず、現像後のトナーパターンＰの濃度が初期時よりも低下することが起こる。
【００８７】
トナーパターンＰの現像後の濃度が高濃度である初期時に、パターン形成時間Ｔｐを長くとれば、高濃度かつトナーパターンＰの幅Ｌａが広くなるため、強制消費されるトナー量が多くなり、トナー分離処理をより早く終了させることができるが、その一方で転写ニップＨを通過する単位時間当たりのトナー量も多くなるので、転写ローラ１５に付着しようとするトナー粒子も多くなり、転写ローラ１５が汚れ易くなる。
【００８８】
これに対して、トナーパターンＰの現像後の濃度が低下する終盤であれば、パターン形成時間Ｔｐを初期時より長く設定しても、トナーパターンＰ自体の濃度が低下していることから、転写ローラ１５に付着しようとするトナー粒子の量も初期に比べて多くなることがなく、パターン形成時間Ｔｐを終盤でも初期と同じ時間に設定する構成よりも、トナー分離処理をより早く終了させることが可能になる。
【００８９】
そこで、トナー分離処理の初期には、トナーパターン形成時間Ｔｐをある程度短い時間ｔｐに設定し、トナー分離処理によりトナーの強制消費が進み、現像剤Ｄのトナー濃度が転写ローラ１５を汚すおそれが生じない程度まで低下したときの当該濃度値を閾値Ｄａとして、トナー濃度の検出値Ｄｔが閾値Ｄａ以下になると、トナーパターン形成時間Ｔｐを初期の時間ｔｐよりも長い時間ｔｐ１に切り替えて、トナー分離処理をより早く終了させるようにしたものである。なお、閾値Ｄａは、実験などにより予め求められる。
【００９０】
トナー濃度Ｄｔ≦閾値Ｄａではない、すなわちトナー濃度Ｄｔ＞閾値Ｄａであることを判断すると（ステップＳ９で「ＮＯ」）、ステップＳ４に戻り、パターン形成時間Ｔｐをｔｐ、非画像領域形成時間Ｔｑをｔｑに設定し、１つ目のトナーパターンＰの静電潜像を感光体ドラム１１に書き込む処理の開始時（図６の時点ｔ１）から時間（ｔｐ＋ｔｑ）の経過時（図６の時点ｔ４）に、２つ目のトナーパターンＰの静電潜像を感光体ドラム１１に書き込む処理を開始させる（ステップＳ５）。
【００９１】
これにより、感光体ドラム１１において、１つ目のトナーパターンＰと２つ目のトナーパターンＰとの副走査方向における間隔、すなわち非画像領域Ｑの幅Ｌｂ（図３）が確保されることになる。
ステップＳ５〜Ｓ９までの処理を実行して、ステップＳ９においてトナー濃度Ｄｔ＞閾値Ｄａであることを判断すると、再度、ステップＳ４に戻る。この場合、ステップＳ４以降において、３つ目のトナーパターンＰの形成が開始される。
【００９２】
ステップＳ９でトナー濃度Ｄｔ≦閾値Ｄａであることが判断されるまで、ステップＳ４〜Ｓ９の処理を繰り返し実行する。この繰り返される数だけ、トナーパターンＰが感光体ドラム１１上に順次、形成され、現像器１４内のトナーの消費が進み、現像器１４内の現像剤Ｄのトナー濃度Ｄｔが低下して行く。
トナー濃度Ｄｔ≦閾値Ｄａであることを判断すると（ステップＳ９で「ＹＥＳ」）、ステップＳ１０に移り、トナー濃度Ｄｔ≦閾値Ｄｂであるか否かを判断する。この閾値Ｄｂは、閾値Ｄａよりも小さい値であり、現像剤Ｄ中のほとんどのトナーが消費され、キャリア交換に適した濃度までトナー濃度が低下したことを示す値として予め実験などで求められたものである。
【００９３】
トナー濃度Ｄｔ≦閾値Ｄｂではない、すなわちトナー濃度Ｄｔ＞閾値Ｄｂであることを判断すると（ステップＳ１０で「ＮＯ」）、ステップＳ１１に移り、パターン形成時間Ｔｐをｔｐ１、非画像領域形成時間Ｔｑをｔｑ１に設定し、その後、ステップＳ５に移り、ステップＳ５からＳ１１までの処理を実行する。
この時間ｔｐ１は、上記のように時間ｔｐよりも長いが、トナーパターンＰの副走査方向の幅Ｌａが転写ローラ１５の周長Ｌｒ以下の範囲内になるような値に設定される。例えば、トナーパターンＰの幅Ｌａが転写ローラ１５の周長Ｌｒの３／４倍の大きさになるように時間ｔｐ１の長さを決めることができる。
【００９４】
時間ｔｑ１は、時間ｔｑよりも短い時間であり、ここでは時間（ｔｐ＋ｔｑ）＝時間（ｔｐ１＋ｔｑ１）の関係を満たすように、時間ｔｑ１の長さが予め決められている。これにより、非画像領域Ｑの幅が、時間ｔｑとｔｑ１の差分だけ、幅Ｌｂよりも小さいＬｂ１になる。なお、時間ｔｑ１の長さは、時間ｔｘ、ｔｙが時間ｔｅ以上の条件が満たされる範囲内の値にされる。
【００９５】
ステップＳ４〜Ｓ９の処理によって形成されたトナーパターンＰのトータルの個数をＮ（１以上の整数）個とすると、（Ｎ＋１）個目のトナーパターンＰの感光体ドラム１１への書き込み処理（露光走査）の開始時（図６の時点ｔ５）は、Ｎ個目のトナーパターンＰの書き込み開始時から時間（ｔｐ＋ｔｑ）経過時になる。
ステップＳ５では、図６の時点ｔ５を基点に、ステップＳ１１で設定されたトナーパターン形成時間Ｔｐ（＝ｔｐ１）だけトナーパターンＰの静電潜像を感光体ドラム１１に書き込む処理が継続して実行される。（Ｎ＋１）個目のトナーパターンＰの幅は、１〜Ｎ個目までのトナーパターンＰの幅Ｌａよりも大きいＬａ１になる。
【００９６】
また、ステップＳ７では、時間ｔαが時間Ｔｐ（＝ｔｐ１）に時間ｔｒを足し合わせた時間ｔα１に変更され、時間ｔβが時間Ｔｑ（＝ｔｑ１）から時間ｔｒを差し引いた時間ｔβ１に変更される（図６の時間ｔα１、ｔβ１に相当。）。これにより、幅がＬａ１になったトナーパターンＰの先端Ｐｓが転写ニップＨに到達してから後端Ｐｅが転写ニップＨを抜けるまでの間に転写ローラ１５に直流電圧ＴＢ１の転写バイアスが供給され、トナーパターンＰの後端Ｐｅが転写ニップＨを抜けてから、次のトナーパターンＰの先端Ｐｓが転写ニップＨに到達するまでの間に転写ローラ１５に交流電圧ＴＢ２の転写バイアスが供給されることになる。
【００９７】
ステップＳ１０でトナー濃度Ｄｔ≦閾値Ｄｂであることが判断されるまで、ステップＳ５〜Ｓ１１の処理を繰り返し実行する。この繰り返される数だけ、さらにトナーパターンＰが感光体ドラム１１上に順次、形成され、現像器１４内のトナーの消費がさらに進む。
この際、トナーパターンＰの現像後のトナー濃度は、上記のように初期時よりも低下しており、トナーパターンＰの幅Ｌａが初期時より広くなっても、転写ローラ１５表面に付着しようとするトナー粒子の数が初期時よりも多くなることがなく、転写ローラ１５表面へのトナー付着の増大が防止される。
【００９８】
トナー濃度Ｄｔ≦閾値Ｄｂであることが判断されると（ステップＳ１０で「ＹＥＳ」）、吸引ファン８３を高速から低速回転に切り替えて（ステップＳ１２）（図６の時点ｔ６）、当該トナー分離処理を終了する。なお、シャッター７５は閉位置のままであり、リサイクルモータ７３も停止したままになっている。
上記では、現像器１４内のトナー濃度Ｄｔを現像器１４内に現に存するトナー量の指標値として用いる構成例を説明したが、トナー量を指標することができるものであればトナー濃度に限られず、例えば現像剤Ｄの量（嵩）をレベルセンサなどで検出し、その検出値から現像器１４内の現在のトナー量を指標するとしても構わない。
【００９９】
（１０）分離トナー補給処理の内容
図７は、分離トナー補給処理の内容を示すフローチャートである。分離トナー補給処理は、操作部９上における、現像剤の交換作業が終了したことを入力するためのキーが操作者により操作されたことを契機に、分離トナー補給処理部９７により実行される。
同図に示すように、アクチュエータ７４の駆動によりシャッター７５を開位置に移動させると共に（ステップＳ２１）、リサイクルモータ７３を回転駆動させる（ステップＳ２２）。これにより、トナーリサイクル部７のリサイクルハウジング７１内に一時的に収容、蓄積されている回収トナーが搬送され、現像器１４の開口７８を介して現像器１４の攪拌室５９に補給される（戻される）。なお、回収トナーの補給中には、現像器１４の現像ローラ５１、供給スクリュー５２、攪拌スクリュー５３も回転駆動され、現像器１４内に元々収容されている現像剤と補給されたトナーとが現像器１４内で攪拌、混合される。
【０１００】
そして、現像器１４内に現に収容されている現像剤Ｄのトナー濃度Ｄｔをトナー濃度検出センサ５５からの検出信号を受信することにより検出する（ステップＳ２３）。
検出されたトナー濃度Ｄｔが基準値以上であるか否かを判断する（ステップＳ２４）。
上記のように現像剤交換による新たな現像剤は、トナー濃度が基準濃度よりもかなり低い（キャリアのトナーに対する割合がかなり高い）ものなので、現像器１４への回収トナーの補給が開始された直後には、トナー濃度が基準濃度よりも低いが、回収トナーの補給が進むに連れて、現像剤中におけるトナーのキャリアに対する割合が増えて、トナー濃度が上昇することになる。
【０１０１】
トナー濃度Ｄｔが基準値よりも低いことを判断すると（ステップＳ２４で「ＮＯ」）、ステップＳ２２に戻る。この場合、現像器１４への回収トナーの補給が継続される。
一方、トナー濃度Ｄｔが基準値以上になったことを判断すると（ステップＳ２４で「ＹＥＳ」）、リサイクルモータ７３の回転を停止させ（ステップＳ２５）、分離トナー補給処理を終了する。リサイクルモータ７３の回転の停止により、現像器１４への回収トナーの補給が停止され、現像剤Ｄのトナー濃度が基準値を大きく上回ることがなくなる。これにより、現像器１４内に現に収容されている現像剤Ｄのトナー濃度が基準濃度と同等の濃度まで上げられることになる。
【０１０２】
なお、現像器１４への回収トナーの補給を所定時間継続しても、トナー濃度Ｄｔが基準値まで上がらない場合には、トナーホッパ６から補充用トナーを補給させ、補充用トナーをリサイクル部７を介して現像器１４内に補給させるようにしても良い。
また、リサイクルモータ７３の停止と共にシャッター７５を閉位置に移動させるとしても良い。この場合、以降のプリントジョブの開始時にリサイクルモータ７３の回転開始と共にシャッター７５を開位置に移動させるとしても良い。
【０１０３】
以上、説明したように本実施の形態では、非画像形成時に、用紙Ｓを転写ニップＨに通紙させない状態で、現像器１４に収容されている現像剤Ｄのトナーを強制消費するために感光体ドラム１１上に高濃度ベタのトナーパターンＰを形成する構成において、（ａ）感光体ドラム１１上のトナーパターンＰが転写ニップＨに到達してから転写ニップＨを抜けるまでの間（トナーパターンＰが転写ニップＨを通過する間）には、転写バイアス電圧として、トナーと同極性（マイナス）の直流電圧を転写ローラ１５に供給し、（ｂ）トナーパターンＰが転写ニップＨを抜けると（トナーパターンＰが転写ニップＨを通過していない間）、プラスとマイナスの電圧が交互に繰り返される交流電圧に切り替える制御を行うようにしている。
【０１０４】
これにより、トナーパターンＰが転写ニップＨを通過する間には、トナーパターンＰを構成するトナー粒子のほとんどを占める正極性帯電トナーが感光体ドラム１１側に引き寄せられるので、転写ローラ１５表面に静電力で付着されることが防止される。
そして、トナーパターンＰが転写ニップＨを抜けると、転写ローラ１５表面に付着されている一部の正極性帯電トナーと逆極性帯電トナーのそれぞれが、交流電圧により感光体ドラム１１に戻されて感光体ドラム１１側に付着するようになり、転写ローラ１５表面に付着したままになることが防止され、トナー粒子の転写ローラ１５表面への付着による転写ローラ１５表面のトナー汚れを抑制することができる。
【０１０５】
従って、感光体ドラム１１に転写ローラ１５が常時、接触する構成をとりつつ、トナー強制消費動作を行っても、転写ローラ１５表面へのトナー汚れを抑制することができ、感光体ドラム１１に対して転写ローラ１５を圧接離間させる構成をとる場合に装置本体内に設置スペースを確保するといった必要がなくなり、装置小型化を実現することができる。
本発明は、画像形成装置に限られず、トナー強制消費の方法であるとしてもよい。さらに、その方法をコンピュータが実行するプログラムであるとしてもよい。また、本発明に係るプログラムは、例えば磁気テープ、フレキシブルディスク等の磁気ディスク、ＤＶＤ−ＲＯＭ、ＤＶＤ−ＲＡＭ、ＣＤ−ＲＯＭ、ＣＤ−Ｒ、ＭＯ、ＰＤなどの光記録媒体、フラッシュメモリ系記録媒体等、コンピュータ読み取り可能な各種記録媒体に記録することが可能であり、当該記録媒体の形態で生産、譲渡等がなされる場合もあるし、プログラムの形態でインターネットを含む有線、無線の各種ネットワーク、放送、電気通信回線、衛星通信等を介して伝送、供給される場合もある。
【０１０６】
〔変形例〕
以上、本発明を実施の形態に基づいて説明してきたが、本発明は、上述の実施の形態に限定されないのは勿論であり、以下のような変形例が考えられる。
（１）上記実施の形態では、現像剤Ｄの交換時期に達したことの判断をプリントの累積枚数が所定枚数に達したことにより行うとしたが、これに限られない。例えば、現像器１４の現像ローラ５１、供給スクリュー５２などの累積駆動時間が所定時間に達したことにより判断するなど、現像剤Ｄが劣化したことの指標となり得る条件が満たされたときとすることができる。
【０１０７】
（２）上記実施の形態では、トナーパターンＰの副走査方向の幅Ｌａを転写ローラ１５の周長Ｌｒ以下とすると共に、非画像領域Ｑの副走査方向の幅Ｌｂを転写ローラ１５の周長Ｌｒの２倍以上とする構成例を説明したが、これに限られない。装置構成によって、Ｌａ＞Ｌｒや２×Ｌｒ＞Ｌｂとしても、転写ローラ１５表面へのトナー付着が用紙Ｓのトナーによる裏汚れにまで至らない場合もあるからである。例えば、幅Ｌａ＝Ｌｂ、幅Ｌａ１＝Ｌｂ１などとすることもできる。２×Ｌｒ＞Ｌｂの関係をとると、転写バイアスの交流電圧におけるマイナスの出力時間ｔｘとプラスの出力時間ｔｙが時間ｔｅ（＝Ｌｒ／Ｖ）よりも短くなる構成が含まれることになる。
【０１０８】
また、時間Ｔｐをｔｐとｔｐ１に、時間Ｔｑをｔｑとｔｑ１にそれぞれ現像剤Ｄのトナー濃度の大きさに応じて２段階に切り替える構成としたが、これに限られない。装置構成に応じて、時間Ｔｐ（幅Ｌａ）とＴｑ（幅Ｌｂ）の一方または両方について、例えば３段階以上に切り替える構成、切り替えを行わない構成、または一方を切り替えるが他方を切り替えない構成などをとることもできる。
【０１０９】
（３）上記実施の形態におけるトナーパターンＰの幅Ｌａ、非画像領域Ｑの幅Ｌｂ、転写バイアスの直流電圧の値、交流電圧の値や周期などが上記の値に限られないことはいうまでもなく、感光体ドラム、転写ローラ、トナーの帯電特性、トナー粒子の大きさや材質、質量などから適切な値が実験等から決められる。
（４）上記実施の形態では、転写バイアス電圧の交流電圧の１周期をｔｚとしたとき、１周期ｔｚが時間ｔβ（トナーパターンＰが転写ニップＨを通過してから、次のトナーパターンが転写ニップＨに到達するまでの間：非画像領域Ｑが転写ニップＨを通過している間に相当）に等しい構成例を説明したが、これに限られず、例えばｔｚ＜ｔβの関係とすることもできる。
【０１１０】
この関係の場合、時間ｔβの間では、交流電圧におけるプラス成分の電圧とマイナス成分の電圧とが交互に繰り返されることが複数回、行われることになり、例えば転写ローラ１５の表面上に機械的などにより付着してしまった正極性帯電トナー粒子と逆極性帯電トナー粒子をその繰り返しにより、転写ローラ１５の表面上へのトナー粒子の付着力を徐々に弱めさせて、感光体ドラム１１に戻すことが可能になる。
【０１１１】
さらに、図３における交流電圧波形ＴＢ２を交流電圧の基準周波数の電圧波形としたとき、直流電圧の出力の終了から基準周波数の電圧波形の出力開始までの間に、基準周波数よりも周期の短い高周波の電圧波形を出力し、この高周波の電圧波形と基準周波数の電圧波形とを合わせた電圧を転写バイアスの交流電圧ＴＢ２とする構成をとることもできる。
（５）上記実施の形態では、転写バイアスの交流電圧を矩形波としたが、矩形波に限られず、例えば正弦波や三角波などとしても良い。また、交流電圧が直流成分（０Ｖ）に交流成分を重畳させてなる電圧としたが、例えば直流成分としてプラスまたはマイナスの直流電圧に交流成分を重畳させるとしても良い。交流成分の供給により転写ローラ１５表面へのトナー付着によるトナー汚れをより抑制可能な電圧値を決めることができる。
【０１１２】
（６）上記実施の形態では、ドラム周辺空間のエアを吸引して浮遊するトナー粒子を捕集するトナー吸引部８を設け、トナー分離処理時にはトナー吸引部８の吸引ファン８３を低速から高速回転に切り替える構成例を説明したが、これに限られない。例えば、トナー分離処理時でもドラム周辺空間に浮遊するトナー粒子の量が通常のプリント時とほとんど変わらないような場合には、低速のままを維持する構成をとることもできる。また、ドラム周辺空間にトナー粒子が浮遊することがほとんどないような装置構成では、トナー吸引部８自体を設けない構成をとることもできる。
【０１１３】
（７）上記実施の形態では、使用されるトナーの正規帯電極性がマイナス（負）の場合の例を説明したが、プラス（正）の場合にも適用できる。トナーの正規帯電極性が正の場合には、上記実施の形態とは正負の関係が逆になる。また、トナーとキャリアを含む二成分現像剤を用いる構成例について説明したが、トナーを含みキャリアを含まない一成分現像剤を用いる構成にも適用可能である。一成分現像剤ではキャリアが存在しないので、キャリアを交換する実施に形態の構成に代えて、上記のトナー強制消費により消費されたトナーを廃棄する構成に適用される。
【０１１４】
この構成の場合、通常のプリントジョブでは、トナーリサイクル方式を採用し、非画像形成時のトナー強制消費時には、リサイクルハウジング７１に蓄積されたトナーをリサイクルハウジング７１から廃棄する構成をとることができる。
また、感光体ドラム１１上に形成されたトナーパターンＰを構成するトナー粒子を回収する回収部を、通常のプリント時の転写後における感光体ドラム１１上に残った残留トナーを清掃するクリーナ１６で併用するとしたが、これに限られず、専用の回収部を設けるとしても構わない。
【０１１５】
さらに、上記では、トナーリサイクル方式の構成例を説明したが、トナーリサイクル方式ではない構成、例えば回収したトナーをトナー回収タンクに収容する構成などにも適用することができる。二成分現像剤を用いる場合には、トナー回収タンクに収容されたトナーを、現像剤交換後の現像器にサービスマンなどにより手動で戻す作業を行うとしても良い。また、一成分現像剤を用いる場合には、トナー回収タンクに収容されたトナーをサービスマンなどが廃棄する構成をとるとしても良い。
【０１１６】
（８）上記実施の形態では、本発明の画像形成装置をモノクロのデジタルプリンタに適用した場合の例を説明したが、これに限られない。カラーやモノクロの画像形成に関わらず、感光体ドラム等の像担持体に形成された静電潜像に現像器のトナーを供給して顕像化し、顕像化されたトナー像を、像担持体とこれに接触する転写ローラなどの転写部材との間で確保される転写ニップを通過する用紙などの記録用のシートに静電転写して画像形成を行う画像形成装置であれば、例えば複写機、ＦＡＸ、ＭＦＰ（Multiple Function Peripheral）等に適用できる。
【０１１７】
なお、カラー画像を形成する画像形成装置がタンデム型のカラー画像形成装置、例えばイエロー色のトナー像を作像する作像部Ｙ、マゼンタ色のトナー像を作像する作像部Ｍ、シアン色のトナー像を作像する作像部Ｃ、ブラック色のトナー像を作像する作像部Ｋが中間転写ベルトなどの中間転写体の回転方向に沿って間隔をおいて列設され、作像部Ｙ〜Ｋごとに、その作像部に設けられる像担持体が一次転写位置で中間転写体に接して転写ニップを確保すると共に中間転写体を介して一次転写ローラなどの転写部材に対向配置されており、作像部Ｙ〜Ｋのそれぞれの像担持体上に形成されたトナー像が一次転写位置で中間転写体上の同じ位置に多重転写され、多重転写されたＹ〜Ｋ色のトナー像が二次転写位置でシート上に一括して転写する構成では、トナー強制消費が次のように実行される。
【０１１８】
すなわち、作像部ごとに、その作像部に設けられる像担持体上に所定の濃度のトナーパターンが形成され、その作像部で形成されたトナーパターンが、回転する中間転写体に一次転写されず、一次転写位置を通過した後、その作像部に設けられているクリーナで回収される。この際、作像部ごとに、作像部の像担持体に対して中間転写体を介して対向配置される転写部材には、転写バイアスとして、上記実施の形態のように像担持体上のトナーパターンが転写ニップに到達してから転写ニップを抜けるまでの間には直流電圧が供給され、トナーパターンが転写ニップを抜けると交流電圧に切り替えられる。
【０１１９】
なお、像担持体としては、ドラム状のものに限られず、例えばベルト状のものを用いる構成をとることもでき、転写部材としては、ローラに限られずに、例えばベルト状のものを用いる構成をとることもできる。さらに、転写ローラ１５が感光体ドラム１１に従動回転する構成に限られず、転写ローラ１５がモータなどにより回転駆動される構成であっても良い。この場合、転写ローラ１５の周速が１回転するのに要する時間は、転写ローラ１５の周長を転写ローラ１５の周速で除した時間とされる。さらに、転写ニップＨにおいて記録シートを通紙させることが可能であれば、転写部材が回転しない構成をとることも可能であろう。
【０１２０】
また、上記実施の形態及び上記変形例の内容は可能な限り、それぞれ組み合わせるとしても良い。
【産業上の利用可能性】
【０１２１】
本発明は、トナーを強制消費させる画像形成装置に広く適用することができる。
【符号の説明】
【０１２２】
１      プリンタ
５      制御部
７      トナーリサイクル部
８      トナー吸引部
１１      感光体ドラム
１２      帯電チャージャ
１３      露光部
１４      現像器
１５      転写ローラ
１６      クリーナ
９６      トナー分離処理実行部
９８      パターンデータ記憶部
１０１      転写バイアス電源部
Ｆ      露光位置
Ｈ      転写ニップ
Ｌａ      トナーパターンの副走査方向の幅
Ｌｂ      非画像領域の副走査方向の幅
Ｌｒ      転写ローラの周長
Ｐ      トナーパターン
Ｐｓ      トナーパターンの先端
Ｐｅ      トナーパターンの後端
Ｑ      非画像領域
ＴＢ１      転写バイアスの直流電圧波形
ＴＢ２      転写バイアスの交流電圧波形
【図１】
2012155210.tif 000003
【図２】
2012155210.tif 000004
【図３】
2012155210.tif 000005
【図４】
2012155210.tif 000006
【図５】
2012155210.tif 000007
【図６】
2012155210.tif 000008
【図７】
2012155210.tif 000009